(57)【要約】【課題】断熱性及び防露性に優れ意匠性も向上させることのできるサッシ下枠及びサッシを提供する。【解決手段】サッシの枠体１を構成する下枠本体１６を備え、下枠本体１６は金属材で形成され、下枠本体１６の上面には樹脂材で形成された長尺状の樹脂レール３０を取付け、樹脂レール３０は下枠本体１６の上面に固定されるベース部３１と、ベース部３１から鉛直状に立ち上がる垂直部３２とからなり、垂直部３２は内外方向に対向する２つの垂直壁３２ａを有して幅広状に形成される。【選択図】図３
2009084823.tif 000002
【特許請求の範囲】
【請求項１】
サッシの枠体を構成する下枠本体を備えたサッシ下枠において、
前記下枠本体は金属材で形成され、前記下枠本体の上面には樹脂材で形成された長尺状の樹脂レールを取付け、該樹脂レールは前記下枠本体の上面に固定されるベース部と、該ベース部から鉛直状に立ち上がる垂直部とからなり、該垂直部は内外方向に対向する２つの垂直壁を有して幅広状に形成されることを特徴とするサッシ下枠。
【請求項２】
前記下枠本体の上面には前記樹脂レールよりも室内側に室内樹脂枠が設けられ、該室内樹脂枠は前記樹脂レールと一体または別体で連続状に配置されることを特徴とする請求項１記載のサッシ下枠。
【請求項３】
上下枠と左右の縦枠を枠組みしてなる枠体の下枠にレールを設け、該レール上をスライド自在な障子を前記枠体内に納めたサッシにおいて、
前記下枠は金属材からなる下枠本体を備え、該下枠本体の上面には樹脂材で形成された長尺状の樹脂レールを取付け、該樹脂レールは前記下枠本体の上面に固定されるベース部と、該ベース部から鉛直状に立ち上がる垂直部とからなり、該垂直部は内外方向に対向する２つの垂直壁を有して幅広状に形成されて前記レールを構成することを特徴とするサッシ。
【請求項４】
前記下枠本体の上面には前記樹脂レールよりも室内側に室内樹脂枠が設けられ、該室内樹脂枠は前記樹脂レールと一体または別体で連続状に配置されることを特徴とする請求項３記載のサッシ。
【請求項５】
前記障子は下端部に戸車を備え、前記垂直部は前記戸車の幅と略同等の幅を有する幅広状に形成されることを特徴とする請求項４記載のサッシ。
【請求項６】
前記枠体内には内障子と外障子が引き違い状に納められ、前記内障子をスライドさせる内レールを前記樹脂レールとし、前記外障子をスライドさせる外レールは前記下枠本体に一体的に形成されることを特徴とする請求項４または５記載のサッシ。
【請求項７】
前記下枠本体の前記内障子が開いた際に位置する側の端部上面には、前記内障子に当接する戸当たり部品が設けられ、前記室内樹脂枠は前記樹脂レールと別体に設けられ、
前記樹脂レールは前記内障子が閉じた際に位置する側の縦枠から前記戸当たり部品までに渡って設けられ、前記室内樹脂枠は左右の縦枠と前記戸当たり部品及び前記樹脂レールに当接するように配置されてなることを特徴とする請求項６記載のサッシ。
【請求項８】
前記内障子が閉じた際に位置する側の前記内レールと外レールの間には金属材からなる下枠カバーが取付けられてなることを特徴とする請求項６または７記載のサッシ。
【発明の詳細な説明】
【技術分野】
【０００１】
本発明は、枠体内に障子をスライド自在に納めてなるサッシの下枠とそれを用いたサッシに関し、特に障子を案内するレールを樹脂材で形成してなるサッシ下枠及びサッシに関する。
【背景技術】
【０００２】
従来、建物開口部に装着される方形状の枠体内に障子をスライド自在に納めて構成されたサッシが知られている。このようなサッシとしては、内外障子を引き違い状に納めてなる引き違いサッシや、一方の障子を嵌め殺し状に納め、他方の障子をスライド自在に納めた片引きサッシなどがある。また、アルミ等の金属からなる金属枠の室内側に樹脂からなる樹脂枠を設けてなる複合サッシも知られており、複合サッシではさらに障子を構成する框材についても室外側を金属框とし、室内側を樹脂框とする。このようなサッシとしては、例えば特許文献１に挙げるようなものがある。
【特許文献１】特開２００４−１２４４０６号公報
【発明の開示】
【発明が解決しようとする課題】
【０００３】
スライド自在な障子を枠体内に納めたサッシでは、サッシ下枠にレールを設けて、このレール上を障子が走行できるようにしている。サッシが複合サッシである場合、強度を確保するために金属枠の上面にレールが一体的に形成される。またレールは、引き違いサッシの場合には内外２条が平行に形成される。金属枠の上面には、レールの他に室内側に設けられる額縁材または床材に当接する室内側部が形成されていて、レールとの間に凹部を形成する。この凹部には樹脂からなる樹脂下枠が設けられる。また、内外レール間にも凹部が形成されていて、この凹部にも樹脂下枠が設けられる。このように樹脂下枠を設けることにより、サッシ下枠における断熱性の確保を図っている。
【０００４】
しかし、レールは前述のように金属で形成されており、その上を障子が走行するためにレールの上部は金属が露出した状態となっていた。このため、断熱性能を低下させると共に、結露が生じやすく防露性にも欠けるという問題があった。さらに、複合サッシにおいては樹脂からなる樹脂下枠の色調と金属からなるレールの色調とが異なるために、意匠性を低下させることともなっていた。
【０００５】
本発明は、前記課題を解決すべくなされたものであり、断熱性及び防露性に優れ意匠性も向上させることのできるサッシ下枠及びサッシを提供することを目的とする。
【課題を解決するための手段】
【０００６】
上記課題を解決するため、本発明にかかるサッシ下枠は、サッシの枠体を構成する下枠本体を備えたサッシ下枠において、
前記下枠本体は金属材で形成され、前記下枠本体の上面には樹脂材で形成された長尺状の樹脂レールを取付け、該樹脂レールは前記下枠本体の上面に固定されるベース部と、該ベース部から鉛直状に立ち上がる垂直部とからなり、該垂直部は内外方向に対向する２つの垂直壁を有して幅広状に形成されることを特徴として構成されている。
【０００７】
また、本発明にかかるサッシ下枠は、前記下枠本体の上面には前記樹脂レールよりも室内側に室内樹脂枠が設けられ、該室内樹脂枠は前記樹脂レールと一体または別体で連続状に配置されることを特徴として構成されている。
【０００８】
さらに、本発明にかかるサッシは、上下枠と左右の縦枠を枠組みしてなる枠体の下枠にレールを設け、該レール上をスライド自在な障子を前記枠体内に納めたサッシにおいて、
前記下枠は金属材からなる下枠本体を備え、該下枠本体の上面には樹脂材で形成された長尺状の樹脂レールを取付け、該樹脂レールは前記下枠本体の上面に固定されるベース部と、該ベース部から鉛直状に立ち上がる垂直部とからなり、該垂直部は内外方向に対向する２つの垂直壁を有して幅広状に形成されて前記レールを構成することを特徴として構成されている。
【０００９】
さらにまた、本発明にかかるサッシは、前記下枠本体の上面には前記樹脂レールよりも室内側に室内樹脂枠が設けられ、該室内樹脂枠は前記樹脂レールと一体または別体で連続状に配置されることを特徴として構成されている。
【００１０】
そして、本発明にかかるサッシは、前記障子は下端部に戸車を備え、前記垂直部は前記戸車の幅と略同等の幅を有する幅広状に形成されることを特徴として構成されている。
【００１１】
また、本発明にかかるサッシは、前記枠体内には内障子と外障子が引き違い状に納められ、前記内障子をスライドさせる内レールを前記樹脂レールとし、前記外障子をスライドさせる外レールは前記下枠本体に一体的に形成されることを特徴として構成されている。
【００１２】
さらに、本発明にかかるサッシは、前記下枠本体の前記内障子が開いた際に位置する側の端部上面には、前記内障子に当接する戸当たり部品が設けられ、前記室内樹脂枠は前記樹脂レールと別体に設けられ、
前記樹脂レールは前記内障子が閉じた際に位置する側の縦枠から前記戸当たり部品までに渡って設けられ、前記室内樹脂枠は左右の縦枠と前記戸当たり部品及び前記樹脂レールに当接するように配置されてなることを特徴として構成されている。
【００１３】
さらにまた、本発明にかかるサッシは、前記内障子が閉じた際に位置する側の前記内レールと外レールの間には金属材からなる下枠カバーが取付けられてなることを特徴として構成されている。
【発明の効果】
【００１４】
本発明にかかるサッシ下枠及びサッシによれば、下枠本体の上面には樹脂材で形成された長尺状の樹脂レールを取付け、樹脂レールは下枠本体の上面に固定されるベース部と、ベース部から鉛直状に立ち上がる垂直部とからなり、垂直部は内外方向に対向する２つの垂直壁を有して幅広状に形成されることにより、強度を確保しつつ障子を案内するレールの断熱性及び防露性を向上させることができ、またレールの色調を他の部分を合わせることができるので、意匠性の向上も図ることができる。
【００１５】
また、本発明にかかるサッシ下枠及びサッシによれば、下枠本体の上面には樹脂レールよりも室内側に室内樹脂枠が設けられ、室内樹脂枠は樹脂レールと一体または別体で連続状に配置されることにより、樹脂レールから室内樹脂枠に渡る意匠的な統一性を持たせることができ、意匠性をより向上させることができる。
【００１６】
さらに、本発明にかかるサッシによれば、障子は下端部に戸車を備え、垂直部は戸車の幅と略同等の幅を有する幅広状に形成されることにより、樹脂材からなるレールの強度を充分に確保することができる。
【００１７】
さらにまた、本発明にかかるサッシによれば、枠体内には内障子と外障子が引き違い状に納められ、内障子をスライドさせる内レールを樹脂レールとし、外障子をスライドさせる外レールは下枠本体に一体的に形成されることにより、室内側から見えやすい内レールを樹脂材で構成しているので、断熱性、防露性、及び意匠性をより確実に向上させることができる。
【００１８】
そして、本発明にかかるサッシの取付方法によれば、樹脂レールは内障子が閉じた際に位置する側の縦枠から戸当たり部品までに渡って設けられ、室内樹脂枠は左右の縦枠と戸当たり部品及び樹脂レールに当接するように配置されてなることにより、樹脂レールと室内樹脂枠を縦枠及び戸当たり部品を基準に容易に位置合わせすることができ、取付作業を容易にすることができる。
【００１９】
また、本発明にかかるサッシによれば、内障子が閉じた際に位置する側の内レールと外レールの間には金属材からなる下枠カバーが取付けられてなることにより、火災の際に内レールが融解しても、内障子が下枠カバーに支持されて枠体からの脱落を防止することができる。
【発明を実施するための最良の形態】
【００２０】
本発明の実施形態について図面に沿って詳細に説明する。図１には本実施形態におけるサッシの縦断面図を、図２には本実施形態におけるサッシの横断面図を、それぞれ示している。これら各図に示すように本実施形態におけるサッシは、サッシ上枠１０とサッシ下枠１１及び左右のサッシ縦枠１２、１２を方形状に枠組みしてなる枠体１内に内障子２及び外障子３を引き違い状に納めてなる引き違いサッシであり、また枠体１を構成する各枠材が、金属材の室内側に樹脂材を配設してなる複合材によって構成された複合サッシである。また、枠体１には外障子３の室外側に網戸６がスライド自在に納められている。
【００２１】
内障子２と外障子３は、いずれも方形状に框組みされてなる框体４内にガラス体５を納めて構成され、その下端部には戸車５２が設けられて枠体１内をスライド自在となるようにされている。框体４を構成する各框材は、室外側に金属框材５０が配置され、その室内側面を覆うように樹脂框材５１が配設されてなる複合材によって構成されている。
【００２２】
枠体１を構成するサッシ上枠１０とサッシ下枠１１及びサッシ縦枠１２は、いずれも金属からなる枠材の室内側露出面を覆うように樹脂からなる枠材を配設して構成されている。サッシ上枠１０は金属材で形成された上枠本体１４と樹脂材で形成された樹脂上枠１５とからなり、サッシ下枠１１は金属材で形成された下枠本体１６と樹脂材で形成された樹脂下枠１７とからなり、サッシ縦枠１２は金属材で形成された縦枠本体１８と樹脂材で形成された樹脂縦枠１９とからなっている。また、サッシ上枠１０とサッシ下枠１１及びサッシ縦枠１２は、いずれも室内側端部に室内側に向かって延出するアングル部１３を備えており、サッシの室内側に配置される額縁材または床材の内周面に当接、ネジ止めされる。
【００２３】
サッシ下枠１１の上面には、室内側から順に室内側部２０と内レール２１、外レール２２及び網戸レール２３が突出状に設けられている。室内側部２０は、サッシ下枠１１の室内端部において額縁材または床材と当接する。また、内レール２１と外レール２２はそれぞれ内障子２と外障子３の戸車５２をサッシ下枠１１の長手方向に案内し、網戸レール２３は網戸６をサッシ下枠１１の長手方向に案内する。これらのうち、室内側部２０と外レール２２及び網戸レール２３は下枠本体１６に形成される。一方、内レール２１は樹脂材からなる網戸レール２３に形成される。
【００２４】
図３には、サッシの縦断面図におけるサッシ下枠１１付近の拡大図を示している。前述のように、サッシ下枠１１を構成する下枠本体１６には、室内側部２０と外レール２２及び網戸レール２３が形成されている。これによって下枠本体１６の室内側部２０と外レール２２の間には凹状の領域が形成されることとなり、この領域に内レール２１を有した樹脂レール３０が取付けられる。
【００２５】
樹脂レール３０は長尺状に形成され下枠本体１６の長手方向に沿って配置される。また樹脂レール３０には、下枠本体１６の上面に当接し、この上面に対しネジ止め固定されるベース部３１と、ベース部３１から鉛直状に立ち上がる垂直部３２と、垂直部３２から室内側に向かって延びる室内樹脂枠３３と、室内樹脂枠３３の室内端部から室内側に延出されるアングル部１３とが一体的に形成されている。このうちベース部３１から立ち上がる垂直部３２が内レール２１とされる。
【００２６】
垂直部３２は、室内外方向に対向する２つの垂直壁３２ａ、３２ａと、上端部で２つの垂直壁３２ａ、３２ａを繋ぐ天面部３２ｂとからなっている。垂直壁３２ａは、所定間隔を有して対向するように形成されており、垂直部３２は下枠本体１６に形成される外レール２２よりも幅広状に形成されていて、載置される戸車５２の幅と略同等の幅を有するようにされている。また、垂直壁３２ａを繋ぐ天面部３２ｂは、上面が断面アーチ状に形成されて、戸車５２を載置することができるように形成されている。
【００２７】
このように、内レール２１を構成する垂直部３２について、２つの垂直壁３２ａ、３２ａを対向配置して幅広状に形成したことにより、樹脂製のレールであっても内障子２の重量に充分耐える強度を有することができる。
【００２８】
樹脂レール３０に一体的に形成された室内樹脂枠３３は、下枠本体１６の上面のうち室内側部２０と内レール２１との間の領域を覆うと共に、室内側部２０の室外側面も覆っている。そして、室内側部２０を覆っている部分の上端部から室内側に向かってアングル部１３が延出されている。
【００２９】
サッシ下枠１１を構成する樹脂下枠１７は、内レール２１と外レール２２の間の領域において下枠本体１６の上面を覆う中間樹脂枠４０と、下枠本体１６の室内面を覆って結露を防止する室内面防露枠４１とからなっている。中間樹脂枠４０は、下枠本体１６の上面を覆うように形成された上面部４２と、上面部４２から下方に突出し下枠本体１６と係合する係合部４３とを有している。また、上面部４２の室内端部は、樹脂レール３０のベース部３１を覆っており、樹脂レール３０の下枠本体１６に対するネジ止め部分が露出しないようにしている。
【００３０】
中間樹脂枠４０は、内障子２と外障子３が閉じた状態において外障子３が配置される側に設けられる。図４には、サッシ下枠１１の平面図を示している。サッシ下枠１１の上面には、中央部に気密ブロック６０が、また一端部には戸当たり部品６１が配置される。気密ブロック６０は、外レール２２と内レール２１の間の領域に設けられて、内障子２と外障子３の召合せ部分における気密性を確保する。また、戸当たりブロック６１は、内障子２と外障子３が閉じた状態において外障子が配置される側の端部に設けられ、内障子２を全開状態とした際に内障子２と当接して、内障子２が枠体１に衝突しないようにする機能を有している。
【００３１】
中間樹脂枠４０は、サッシ下枠１１の上面において、気密ブロック６０から戸当たりブロック６１までの領域に設けられる。また、気密ブロック６０から内障子２が閉じた際に位置する側の端部までの領域には、金属材からなる下枠カバー４７が設けられる。下枠カバー４７は中間樹脂枠４０と同じ断面形状を有するように形成されている。内障子２は樹脂材からなる内レール２１に載置されているので、火災の際に内レール２１が融解した場合に枠体１から脱落する可能性がある。しかし、内障子２が配置される側に金属材からなる下枠カバー４７が設けられていることにより、内レール２１が融解しても下枠カバー４７が内障子２を支持して枠体１から完全に脱落することを防止することができる。なお、中間樹脂枠４０と下枠カバー４７は、いずれも気密ブロック６０側の端部が気密ブロック６０内に挿入されている。
【００３２】
また、下枠本体１６の上面に取付けられる樹脂レール３０の内レール２１を有する部分は、内障子２が閉じた際に位置する側の縦枠１２から戸当たり部品６１に渡って設けられ、一方で樹脂レール３０の室内樹脂枠３３を構成する部分は、左右の縦枠１２間に渡って設けられる。すなわち、室内樹脂枠３３の両端部はそれぞれ縦枠１２の内側面に当接することとなる。
【００３３】
図３に示すように、室内面防露枠４１は、下枠本体１６の室内面を覆う室内面部４４と、上下部で下枠本体１６に係合する係合部４５と、室内面部４４の下端部から室内側斜め下方に突出するネジ止め部４６とが一体的に形成されている。下枠本体１６の室内面にもネジ止め部２４が形成されており、室内面防露枠４１のネジ止め部４６はこれと重合し、共にネジ止めによって建物躯体に対して固定される。
【００３４】
下枠本体１６の下面には、下方に向かって突出するフィン部１６ａが形成されており、このフィン部１６ａが建物躯体の室外面に当接してネジ止めされる。このフィン部１６ａ及びネジ止め部２４のネジ止めによってサッシ下枠１１が建物躯体に固定される。
【００３５】
本実施形態では、内レール２１を樹脂材によって形成したので、サッシ下枠１１における断熱性及び防露性を向上させることができる。また、内障子２と外障子３を閉じた状態で内レール２１は室内側に直接露出する部分であり、それが樹脂材によって形成されているので、内レール２１の色調を樹脂下枠１７の色調と合わせることができて、意匠性の向上も図ることができる。
【００３６】
ここまで説明した例では、樹脂レール３０に室内樹脂枠３３を一体的に形成したものを示したが、室内樹脂枠３３は樹脂レール３０と連続状であれば別体でもよい。以下、樹脂レール３０及び室内樹脂枠３３の変形例について説明する。図５には、樹脂レール３０及び室内樹脂枠３３の第１変形例を有したサッシ下枠１１付近の拡大縦断面図を示している。この図に示すように第１変形例では、樹脂レール３０はベース部３１と垂直部３２を備え、垂直部３２よりも室内側には樹脂レール３０と別体とされた室内樹脂枠３３が取付けられている。
【００３７】
垂直部３２を構成する室内側の垂直壁３２ａには、突起状に樹脂レール係合部２５が形成されており、一方で室内樹脂枠３３の室外端部には上方に向かって突出する係合突起３４が形成されている。係合突起３４を樹脂レール係合部２５に係合させることにより、樹脂レール３０と室内樹脂枠３３とが連続状となるようにしている。また、下枠本体１６には凹部１６ｂが形成され、樹脂レール３０の垂直部３２の根元部分には突出部２６が形成されている。突出部２６は下枠本体１６の凹部１６ｂに嵌入されて、ベース部３１におけるネジ止めと共に樹脂レール３０を下枠本体１６に固定している。
【００３８】
このように樹脂レール３０と室内樹脂枠３３とを別体とした場合にも、樹脂レール３０は一方の縦枠１２から戸当たり部品６１までに渡って設けられ、室内樹脂枠３３は左右の縦枠１２間に渡って設けられる。この際、室内樹脂枠３３は両端部が左右の縦枠１２に当接し、一方の縦枠１２近傍では室外面が戸当たり部品６１に当接し、それ以外の室外面は樹脂レール３０に当接することとなる。
【００３９】
また、これまでの例では、室内樹脂枠３３の室内側にアングル部１３が一体的に形成されていたが、アングル部１３の代わりに室内面防露枠４１を一体的に形成することとしてもよい。図６には、樹脂レール３０及び室内樹脂枠３３の第２変形例を有したサッシ下枠１１付近の拡大縦断面図を示している。この図に示すように、第２変形例では図３に示すものと同様に、樹脂レール３０と一体的に室内樹脂枠３３を形成している。
【００４０】
室内樹脂枠３３の室内端部には、下方に向かって垂下された室内面防露枠４１が一体的に形成されている。室内面防露枠４１の下端部には、下枠本体１６のネジ止め部２４に重合するネジ止め部４６が形成されている。この変形例は、アングル部１３を必要としないサッシにおいて、樹脂レール３０から室内面防露枠４１にかけてを一体的に下枠本体１６に対し取付けることができるので、取付作業を簡易化することができる。
【００４１】
図７には、樹脂レール３０及び室内樹脂枠３３の第３変形例を有したサッシ下枠１１付近の拡大縦断面図を示している。第３変形例では、第２変形例と同様に室内樹脂枠３３の室内端部に室内面防露枠４１を一体的に形成しているが、第１変形例のように樹脂レール３０と室内樹脂枠３３とを別体としている。樹脂レール３０と室内樹脂枠３３との固定構造及び樹脂レール３０の下枠本体１６に対する固定構造は、第１変形例と同様である。
【００４２】
このように、樹脂レール３０と室内樹脂枠３３は連続状となっていれば一体でも別体でもよく、また室内樹脂枠３３の室内側にはアングル部１３を一体的に設けてもよいし、室内面防露枠４１を一体的に設けてもよい。
【００４３】
以上、本発明の実施形態について説明したが、本発明の適用は本実施形態には限られず、その技術的思想の範囲内において様々に適用されうるものである。例えば、本実施形態では内障子２と外障子３が引き違い状に納められたサッシを示したが、外障子３に相当する部分が嵌め殺し状とされ、内障子２のみが枠体１内をスライド自在とした片引きサッシであっても、同様に本発明を適用することができる。
【図面の簡単な説明】
【００４４】
【図１】本実施形態におけるサッシの縦断面図である。
【図２】本実施形態におけるサッシの横断面図である。
【図３】サッシの縦断面図におけるサッシ下枠付近の拡大図である。
【図４】サッシ下枠の平面図である。
【図５】樹脂レール及び室内樹脂枠の第１変形例を有したサッシ下枠付近の拡大縦断面図である。
【図６】樹脂レール及び室内樹脂枠の第２変形例を有したサッシ下枠付近の拡大縦断面図である。
【図７】樹脂レール及び室内樹脂枠の第３変形例を有したサッシ下枠付近の拡大縦断面図である。
【符号の説明】
【００４５】
１    枠体
２    内障子
３    外障子
１０    サッシ上枠
１１    サッシ下枠
１２    サッシ縦枠
１３    アングル部
１４    上枠本体
１５    樹脂上枠
１６    下枠本体
１７    樹脂下枠
１８    縦枠本体
１９    樹脂縦枠
２０    室内側部
２１    内レール
２２    外レール
３０    樹脂レール
３１    ベース部
３２    垂直部
３２ａ  垂直壁
３２ｂ  天面部
３３    室内樹脂枠
４０    中間樹脂枠
４１    室内面防露枠
４７    下枠カバー
５２    戸車
６０    気密ブロック
６１    戸当たり部品
【図１】
2009084823.tif 000003
【図２】
2009084823.tif 000004
【図３】
2009084823.tif 000005
【図４】
2009084823.tif 000006
【図５】
2009084823.tif 000007
【図６】
2009084823.tif 000008
【図７】
2009084823.tif 000009